(57)【要約】【課題】設置が容易で、かつ簡単な構成で、振動の伝達を抑制する免震具を提供する。【解決手段】免震具１０は、建造物の基礎６０と土台７０の間に配置されるとともに、アンカーボルト８０が貫通している。免震具１０は、基礎側基板２０と土台側基板３０と、これらの間に挟まれる多数の剛球４０と、これら剛球４０の枠や仕切りとなる複数のリング５０〜５４により構成される。基礎側基板２０は、略円板状であって、中央に開口部２２を有し、外縁には外枠２４を有している。土台側基板３０は、略円板状であって、中央に開口部３２を有し、内縁に内枠３４を有している。両基板２０，３０の間には、多数の剛球４０が弾性を有する外側リング５０と、内側リング５２と、これらの間に配置された中間リング５４で仕切られている。地震が起きると、剛球４０の転動により基礎６０と土台７０が相対的にずれ、振動の伝播が抑制される。【選択図】図１
2018084129.tif 000002
【特許請求の範囲】
【請求項１】
建造物の基礎と土台の間に配置される免震具であって、
前記基礎側に配置され、中央部に前記基礎に固定するための固定具が貫通する開口部を有し、外周に、前記土台側へ向けて伸びた外枠を有する基礎側基板と、
前記土台側に配置され、中央部に、前記固定具よりも大きい開口部を有し、該開口部の縁に、前記基礎側へ向けて伸びた内枠を有する土台側基板と、
前記両基板の間に挟まれて転動可能な多数の剛球と、
前記両基板の間に配置され、前記多数の剛球が内側に収容されるとともに、前記各基板の面に対し水平方向に弾性変形可能な環状の外側リングと、
前記両基板の間に配置され、前記外側リングとの間に前記多数の剛球を挟むとともに、前記各基板の面に対し水平方向に弾性変形可能であって、前記内枠よりも径が大きい環状の内側リングと、
を備えたことを特徴とする免震具。
【請求項２】
前記固定具が、
前記基礎に一部が埋設され、前記基礎から露出した部分が前記土台を貫通するアンカーボルトであり、
前記土台に、前記土台側基板の内枠よりも径が大きい貫通孔が設けられるとともに、該貫通孔は、前記土台の表面側に径が大きい拡径部を有しており、
前記拡径部内において前記アンカーボルトと締結し、かつ、前記拡径部の底面に当接する締結手段、
を備えたことを特徴とする請求項１記載の免震具。
【請求項３】
前記締結手段が、
前記拡径部の底面に当接するとともに、前記貫通孔と同程度の内径の開口部を有する第１のワッシャーと、
該第１のワッシャーの上に配置されており、前記第１のワッシャーの開口部の径より小さく、前記アンカーボルトの径より大きい内径の開口部を有する第２のワッシャーと、
前記第２のワッシャーの上に配置されており、前記アンカーボルトが貫通可能な開口部を有する第３のワッシャーと、
該第３のワッシャーの上に配置されたパッキン手段と、
該パッキン手段上に配置されたナットと、
を備えており、
前記締結手段と前記拡径部の内面の間に、所定の隙間を設けたことを特徴とする請求項２記載の免震具。
【請求項４】
前記アンカーボルトがステンレス製であることを特徴とする請求項２又は３記載の免震具。
【請求項５】
前記固定具が、
前記基礎に埋設される埋設部と、
前記基礎側基板の開口部と係合する頭部と、
を有するとともに、
前記頭部が、
前記土台側基板の内枠と接触しない高さを有することを特徴とする請求項１記載の免震具。
【請求項６】
前記固定具が、
前記基礎に後打ちされるアンカー部と、
カールプラグと、
からなることを特徴とする請求項１記載の免震具。
【請求項７】
前記外側リングと内側リングの間に、前記各基板の面に対して水平方向に弾性変形可能な環状の中間リングを一つ以上設けるとともに、
各リングの間に、前記剛球を複数配置したことを特徴とする請求項１〜６のいずれか一項に記載の免震具。
【請求項８】
前記外側リングと内側リングの間に、前記各基板の面に対して水平方向に弾性変形可能なスパイラル状の中間リングを設けるとともに、
各リングの間に、前記剛球を複数配置したことを特徴とする請求項１〜６のいずれか一項に記載の免震具。
【請求項９】
前記固定具が貫通する開口を有する方形状の底面と、該底面の各辺に設けられた縁部とを有しており、
前記底面上に、前記基礎側基板を収容する位置決め用の枠体、
を備えたことを特徴とする請求項１〜８のいずれか一項に記載の免震具。
【発明の詳細な説明】
【技術分野】
【０００１】
本発明は、地震などによる建物の揺れを抑制ないし軽減するための免震具に関するものである。
【背景技術】
【０００２】
地震のときに住宅の振動を減衰させる免震技術としては、例えば、下記特許文献１に記載の「木造住宅の埋め込み式免震装置」がある。当該技術は、木造住宅の基礎部分に設置する免震装置において、基礎コンクリート上面より突出する部分を基礎コンクリートに埋設する部分より太くした上面開口の筒状剛体を設け、基礎コンクリートに埋設する部分の該筒状剛体の内部には弾性物質を内嵌するとともに、該弾性物質の高さは該筒状導体より突出しており、且つ該弾性物質の中心部には建物構造部材に連結するアンカーボルトと基礎コンクリートに固定するアンカーボルトを上下に離して固着させ、さらに基礎コンクリート上面より突出した該筒状剛体部と該弾性物質の間に弾性係数の異なる弾性物質を接合して内嵌されてなる免震装置を建造物の基礎と土台乃至柱の中間に固定して用いることを特徴とする木造住宅の埋め込み式免震装置が開示されている。
【先行技術文献】
【特許文献】
【０００３】
【特許文献１】特開２０１３−１１３０８１号公報
【発明の概要】
【発明が解決しようとする課題】
【０００４】
しかしながら、上述した特許文献１に記載の技術では、基礎コンクリート側に、アンカーボルトを固定するための穴のみならず、前記筒状剛体を埋設するための穴を形成しなくてはならず、設置までに手間がかかる。また、前記特許文献１に記載の技術では、基礎と土台をアンカーボルトで連結する際に装置を設置しなければならず、すでに基礎と土台が連結されている場合には、後付けで免震対策を施すことができない。
【０００５】
本発明は、以上のような点に着目したもので、容易に設置することができ、簡単な構成で地震などの振動を抑制ないし軽減する免震具を提供することを、その目的とする。他の目的は、基礎の上に土台を連結した後であっても、後付けで設置可能な免震具を提供することである。
【課題を解決するための手段】
【０００６】
本発明は、建造物の基礎と土台の間に配置される免震具であって、前記基礎側に配置され、中央部に前記基礎に固定するための固定具が貫通する開口部を有し、外周に、前記土台側へ向けて伸びた外枠を有する基礎側基板と、前記土台側に配置され、中央部に、前記固定具よりも大きい開口部を有し、該開口部の縁に、前記基礎側へ向けて伸びた内枠を有する土台側基板と、前記両基板の間に挟まれて転動可能な多数の剛球と、前記両基板の間に配置され、前記多数の剛球が内側に収容されるとともに、前記各基板の面に対し水平方向に弾性変形可能な環状の外側リングと、前記両基板の間に配置され、前記外側リングとの間に前記多数の剛球を挟むとともに、前記各基板の面に対し水平方向に弾性変形可能であって、前記内枠よりも径が大きい環状の内側リングと、を備えたことを特徴とする。
【０００７】
主要な形態の一つは、前記固定具が、前記基礎に一部が埋設され、前記基礎から露出した部分が前記土台を貫通するアンカーボルトであり、前記土台に、前記土台側基板の内枠よりも径が大きい貫通孔が設けられるとともに、該貫通孔は、前記土台の表面側に径が大きい拡径部を有しており、前記拡径部内において前記アンカーボルトと締結し、かつ、前記拡径部の底面に当接する締結手段、を備えたことを特徴とする。
【０００８】
他の形態の一つは、前記締結手段が、前記拡径部の底面に当接するとともに、前記貫通孔と同程度の内径の開口部を有する第１のワッシャーと、該第１のワッシャーの上に配置されており、前記第１のワッシャーの開口部の径より小さく、前記アンカーボルトの径より大きい内径の開口部を有する第２のワッシャーと、前記第２のワッシャーの上に配置されており、前記アンカーボルトが貫通可能な開口部を有する第３のワッシャーと、該第３のワッシャーの上に配置されたパッキン手段と、該パッキン手段上に配置されたナットと、を備えており、前記締結手段と前記拡径部の内面の間に、所定の隙間を設けたことを特徴とする。更に他の形態の一つは、前記アンカーボルトがステンレス製であることを特徴とする。
【０００９】
主要な形態の他の一つは、前記固定具が、前記基礎に埋設される埋設部と、前記基礎側基板の開口部と係合する頭部と、を有するとともに、前記頭部が、前記土台側基板の内枠と接触しない高さを有することを特徴とする。あるいは、前記固定具が、前記基礎に後打ちされるアンカー部と、カールプラグと、からなることを特徴とする。
【００１０】
更に他の形態は、前記外側リングと内側リングの間に、前記各基板の面に対して水平方向に弾性変形可能な環状の中間リングを一つ以上設けるとともに、各リングの間に、前記剛球を複数配置したことを特徴とする。あるいは、前記外側リングと内側リングの間に、前記各基板の面に対して水平方向に弾性変形可能なスパイラル状の中間リングを設けるとともに、各リングの間に、前記剛球を複数配置したことを特徴とする。更に他の形態は、前記固定具が貫通する開口を有する方形状の底面と、該底面の各辺に設けられた縁部とを有しており、前記底面上に、前記基礎側基板を収容する位置決め用の枠体、を備えたことを特徴とする。本発明の前記及び他の目的，特徴，利点は、以下の詳細な説明及び添付図面から明瞭になろう。
【発明の効果】
【００１１】
本発明によれば、建造物の基礎と土台の間に配置される免震具が、前記基礎側に配置され、中央部に前記基礎に固定するための固定具が貫通する開口部を有し、外周に、前記土台側へ向けて伸びた外枠を有する基礎側基板と、前記土台側に配置され、中央部に、前記固定具よりも大きい開口部を有し、該開口部の縁に、前記基礎側へ向けて伸びた内枠を有する土台側基板と、前記両基板の間に挟まれて転動可能な多数の剛球と、前記両基板の間に配置され、前記多数の剛球が内側に収容されるとともに、前記各基板の面に対し水平方向に弾性変形可能な環状の外側リングと、前記両基板の間に配置され、前記外側リングとの間に前記多数の剛球を挟むとともに、前記各基板の面に対し水平方向に弾性変形可能であって、前記内枠よりも径が大きい環状の内側リングと、を備えることとした。このため、設置が容易で、かつ、簡単な構成で地震などの振動を抑制ないし軽減することができる。また、基礎と土台の隙間から入れられる固定具を用いることで、免震具を後付けで設置できるという効果がある。
【図面の簡単な説明】
【００１２】
【図１】本発明の実施例１の免震具を示す断面図である。
【図２】前記実施例１の免震具の分解斜視図である。
【図３】前記実施例１の作用を示す図であり、(A)は基礎と土台がずれた状態を示す断面図，(B)はリングの変形状態を示す図である。
【図４】本発明の実施例２を示す断面図である。
【図５】本発明の実施例３を示す図である。
【図６】本発明の他の実施例を示す図である。
【発明を実施するための形態】
【００１３】
以下、本発明を実施するための最良の形態を、実施例に基づいて詳細に説明する。
【実施例１】
【００１４】
最初に、図１〜図３を参照しながら本発明の実施例１を説明する。図１は、本実施例の免震具を示す断面図，図２は、本実施例の免震具の分解斜視図である。図３は、本実施例の作用を示す図であり、(A)は基礎と土台がずれた状態を示す断面図，(B)はリングの変形状態を示す図である。本実施例の免震具は、建造物の基礎と土台をアンカーボルトで固定する段階で設置するものである。
【００１５】
図１及び図３に示すように、本実施例の免震具１０は、建造物の基礎６０と土台７０の間に配置されるとともに、アンカーボルト８０が貫通している。前記免震具１０は、基礎側基板２０と土台側基板３０と、これらの間に挟まれる多数の剛球４０と、これら剛球４０の枠や仕切りとなる外側リング５０，内側リング５２，中間リング５４などにより構成されている。
【００１６】
前記基礎側基板２０は、図２に示すように、略円板状であって、中央部に、前記基礎６０に埋設されたアンカーボルトが貫通するための開口部２２を有している。また、基礎側基板２０の外周縁には、本体部分を前記基礎６０に取り付けたときに、土台７０側へ向けて伸びる略リング状の外枠２４が形成されている。該外枠２４の高さは、前記剛球４０の高さ（直径）よりも低く設定されており、剛球４０が土台側基板３０に接して転動することを妨げることがない。また、前記外枠２４は、剛球４０が基礎側基板２０から脱落するのを防止するストッパの役割を果たす。このような基礎側基板２０は、例えば、ダクタイル鋳鉄，ねずみ鋳鉄，ステンレスなど剛性の高い金属により形成されている。
【００１７】
前記土台側基板３０は、図２に示すように、略円板状であって、中央部に、前記アンカーボルト８０が貫通する開口部３２が形成されている。該開口部３２の径は、前記基礎側基板２０の開口部２２よりも大きく設定されており、前記基礎６０と土台７０が、相対的に水平方向へずれたときに、前記アンカーボルト８０がしなって変形することができる程度の余裕をもって設定されている。例えば、前記開口部３２は、アンカー面から５ｍｍ以上離れていると好ましく、アンカーボルト８０の径Ｄ１を１２ｍｍとした場合には、開口部２２の径Ｄ２を２２〜２５ｍｍ程度にするという具合である。また、前記開口部３２の縁には、本体部分を土台側に取り付けたときに、基礎６０側へ向けて伸びる略リング状の内枠３４が形成されている。該内枠３４の高さは、前記剛球４０の直径よりも低く設定されており、前記剛球４０が、基礎側基板２０と土台側基板３０に接して転動することを妨げない。このような土台側基板３０は、前記基礎側基板２０と同様に、ダクタイル鋳鉄，ねずみ鋳鉄，ステンレスなど剛性の高い金属により形成されている。
【００１８】
前記基礎側基板２０と土台側基板３０の間には、図１〜図３に示すように、前記両基板２０，３０の間に挟まれて転動可能な多数の剛球４０が配置されている。また、前記両基板２０，３０の間には、前記多数の剛球４０が内側に収容されるとともに、前記各基板２０，３０の面に対して水平方向に弾性変形可能な環状の外側リング５０が設けられている。該外側リング５０の径は、両基板２０，３０の直径よりも小さく設定されており、両基板２０，３０が相対的に水平方向に移動したときには、前記外側リング５０は、前記外枠２４に当たるため、両基板２０，３０の外側にはみ出すことはない。
【００１９】
更に、前記両基板２０，３０の間には、前記外側リング５０との間に、前記多数の剛球４０を挟むとともに、前記各基板２０，３０の面に対して水平方向に弾性変形可能であって、前記内枠３４よりも径が小さい環状の内側リング４２が設けられている。本実施例では、前記外側リング５０と内側リング５２の間に、更に、前記両基板２０，３０の面に対して水平方向に弾性変形可能な中間リング５４が設けられている。そして、外側リング５０と中間リング５４の間に、多数の（複数の）の剛球４０が配置され、中間リング５４と内側リング５２の間にも、多数の（複数の）剛球４０が配置されている。前記各リング５０，５２，５４の高さは、前記剛球４０の直径よりも低いため、前記基礎側基板２０と前記土台側基板３０が前記剛球４０を挟んで対向したときに、前記剛球４０を介して両基板２０，３０が、水平方向に相対的に移動するのを妨げることがない。
【００２０】
本実施例の免震具１０を設置するときは、まず、基礎６０にアンカーボルト８０を埋設し、該アンカーボルト８０の露出部分を前記開口部２２に通すようにして、基礎側基板２０を基礎６０に取り付ける。次に、前記外側リング５０，内側リング５２，中間リング５４を、前記基礎側基板２０の面上に配置し、これら外側リング５０と中間リング５４の間と、中間リング５４と内側リング５２の間に、それぞれ多数の剛球４０を配置する。その後、前記アンカーボルト８０を前記開口部３２に通すようにして、土台側基板３０を、前記基礎側基板２０に対向するように被せる。
【００２１】
この状態では、前記剛球４０の径が、前記外枠２４及び内枠３４の高さよりも長いため、外枠２４は、土台側基板３０に接触せず、内枠３４も、基礎側基板２０に接触しないため、土台側基板３０と基礎側基板２０が、剛球４０の転動により、水平方向に相対的に移動可能となっている。そして、前記土台側基板３０の上に、土台７０を乗せる。前記土台７０には、貫通孔７２が形成されており、この貫通孔７２を前記アンカーボルト８０が通るように土台７０を設置する。前記貫通孔７２の径Ｄ３は、前記アンカーボルト８０及び内枠３４の径よりも、更に大きく設定されており、アンカーボルト８０の弾性変形を許容している。アンカーボルト８０の径をＤ１，内枠３４の内径をＤ２，貫通孔７２の径をＤ３とすると、Ｄ１＜Ｄ２＜Ｄ３である。具体的には、アンカーボルト８０の径Ｄ１を１２ｍｍとした場合、貫通孔７２の径Ｄ３を３２ｃｍ程度にするという具合である。
【００２２】
更に、前記土台７０の貫通孔７２は、上部側の径が拡大した拡径部７２Ａとなっている。前記拡径部７２を利用して、図１に示すように、金物付きゴムワッシャー８２，平ワッシャー８４，スプリングワッシャー８６を挟み、ダブルナット８８，８９をアンカーボルト８０に螺合させることで、前記基礎６０と土台７０で、免震具１０を締め付け固定する。
【００２３】
ここで、地震等が起こり、基礎６０側が水平方向に揺れると、前記多数の剛球４０の転動により、前記基礎側基板２０に対する土台側基板３０の位置が相対的に水平方向に移動する。図１は、揺れが起こる前の状態、図３(A)は、水平方向に基礎６０がずれた場合（図示の例では右側へずれた場合）が示されている。図３(A)に示すように、揺れが起きると、アンカーボルト８０がしなるとともに、前記剛球４０の転動により基礎６０と土台７０が相対的にずれるため、土台７０側への振動の伝達が抑制される。
【００２４】
また、本実施例では、アンカーボルト８０として、鉄骨よりもしなりやすいステンレスを用いており、基礎６０と土台７０の相対変位が生じても弾性力によりしなって折れることがない。そして、その弾性力により、相対変位がすみやかに復元される。また、図３(B)に示すように、剛球４０の転動にともなって、前記外側リング５０，内側リング５２，中間リング５４も移動するが、これらリング５０〜５４も弾性を有するため、外枠２４に接するように移動した後、更に同方向に力がかかった場合でも、図３(B)に示すように、各リング５０〜５４が変形して力を吸収する。そして、弾性力を利用した復元力により、前記リング５０〜５４は、外枠２４側に向けてかかる力がなくなると、形状が復元する。
【００２５】
このように、実施例１によれば、外枠２４を備えた基礎側基板２０と、内枠３４を備えた土台側基板３０を、弾性変形可能なリング５２〜５４により囲まれた多数の剛体４０を挟んで対向させ、免震具１０を貫通するアンカーボルト８０を用いて、基礎６０と土台７０を連結することとした。このため、アンカーボルト８０を締めるときに設置すればよいため、設置が容易である。また、簡単な構成でありながら、地震等により揺れが生じても、剛球４０の転動により基礎６０と土台７０に水平方向に相対的な位置ずれが生じ、建造物への振動の伝播が抑制され、免震効果が得られる。また、アンカーボルト８０やリング５０〜５４の弾性力により、なめらかに位置の復元が可能である。また、ステンレス製のアンカーボルト８０を用いることで、折れにくく形状復元しやすい。
【実施例２】
【００２６】
次に、図４(A)及び(B)を参照しながら本発明の実施例２を説明する。なお、上述した実施例１と同一ないし対応する構成要素には同一の符号を用いることとする（以下の実施例についても同様）。上述した実施例１は、土台７０を基礎６０に固定する前に、アンカーボルト８０が貫通するように免震具１０を設置することとしたが、本実施例は、すでに基礎と土台を固定した後に、後付けで設置する例である。
【００２７】
図４(A)に示すように、本実施例の免震具１０Ａの構造は、基本的には前記実施例１と同様である。なお、土台７０Ａには、アンカーボルト８０用の貫通孔７２は設けられていない。本実施例では、図４(A)に示すように、基礎６０Ａと土台７０Ａの間をジャッキアップして隙間９０を形成し、そこに免震具１０Ａを設置する。その際、前記アンカーボルト８０の代わりに、基礎側基板２０を固定するための固定具１００を用いる。
【００２８】
前記固定具１００は、前記基礎６０Ａに埋設される埋設部１０２と、前記基礎側基板２０の表面と面一または突出する頭部１０４と、該頭部１０４に嵌めるキャップ１０６により構成されている。前記キャップ１０６を被せた頭部１０４は、埋設部１０２が基礎６０Ａに埋設された状態において、前記土台側基板３０の内枠３４と接触しない高さに設定されている。また、図示の例のように、前記埋設部１０２の径を、前記実施例１のアンカーボルト８０と同じ径とすると、基礎側基板２０を確実に固定することができるとともに、実施例１の基礎側基板２０をそのまま用いることができる。前記内枠３４は、剛球４０のストッパとしても機能する。このように、本実施例によれば、基礎６０Ａと土台７０Ａを連結した後であっても、後付けで免震具１００を設置することができる。他の基本的な作用・効果は、上述した実施例１と同様である。また、図４(B)に示す例のように、固定具１２０を、基礎６０Ａに後打ちされるアンカー１２２と、カールプラグ１２４により構成しても同様の効果が得られる。
【実施例３】
【００２９】
次に、図５を参照しながら本発明の実施例３を説明する。図５(A)は、本実施例の主要部の断面図，図５(B)は振動が生じたときの初期の状態を示す主要部の断面図である。本実施例の構造は、基本的には、上述した実施例１と同様であるが、本実施例では、アンカーボルト８０を締結する部分にも、免震のための機構を設けた例である。図５(A)に示すように、土台７０側の貫通孔７２は、表面側に拡径部７２Ｂが設けられている。前記拡径部７２Ｂを利用して、該拡径部７２Ｂの底面側から順に、第１のワッシャー８２Ａ，第２のワッシャー８２Ｂ、第３のワッシャー８２Ｃ、ゴムパッキン８５、スプリングワッシャー８６を挟み、ダブルナット８８，８９をアンカーボルト８０に螺合させることで、前記基礎６０と土台７０で、免震具１０を締め付け固定する。
【００３０】
このとき、本実施例では、前記第１のワッシャー８２Ａの開口部８３Ａが、貫通孔７２の径とほぼ同程度に大きく形成され、第２のワッシャー８２Ｂの開口部８３Ｂは、前記開口部８３Ａよりは小さく、かつ、前記アンカーボルト８０の径よりは大きく形成されている。更に、前記第３のワッシャー８２Ｃの開口部８３Ｃは、前記開口部８３Ｂより小さく、アンカーボルト８０が貫通できる程度の径に設定されている。また、これら第１のワッシャー８２Ａ，第２のワッシャー８２Ｂ，第３のワッシャー８２Ｃ，ゴムパッキン８５の外周面と、前記拡径部７２Ｂの内面側には、所定の隙間９２が設けられている。該隙間９２は、水平方向に揺れが生じたときに、まず、前記第１のワッシャー８２Ａの開口部８３Ａと、第２のワッシャー８２Ｂの開口部８３Ｂに余裕がある分だけ、水平方向にずれることができるようにするためのものである。
【００３１】
そして、地震等が起こり、基礎６０側が水平方向に揺れると、剛球４０の転動により、図５(A)に示す状態から、第１及び第２のワッシャー８２Ａ，８２Ｂがずれた状態となり、更に、揺れが大きくなると、図３に示すようにアンカーボルト８０自体がしなる。このように、前記剛球４０の転動により基礎６０と土台７０が相対的にずれるため、土台７０側への振動の伝達が抑制される。本実施例によれば、アンカーボルト８０を締結する部分に、水平方向へのずれを許容する開口部や隙間を設けたので、アンカーボルト８０自体がしなる前に振動を吸収でき、より免震効果が高く、耐久性にも優れている。他の基本的な作用・効果は、上述した実施例１と同様である。
【００３２】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、外側リング５０，内側リング５２，中間リング５４を円形としたが、これも一例であり、楕円形や長円形とすることを妨げるものではない。例えば、図６(B)に示す例では、中間リングとして、スパイラル状のものを用いている。この場合、スパイラルリング５６のスパイラル間と、スパイラルリング５６と外側リング５０の間と、スパイラルリング５６と内側リング５２の間に、複数の剛球４０が配置される。
(2)前記実施例では、外側リング５０と内側リング５２の間に中間リング５４を設けることとしたが、これも一例であり、中間リング５４は必要に応じて設ければよい。また、２つ以上の中間リングを設けることを妨げるものではない。
【００３３】
(3)前記実施例１では、外側リング５０と中間リング５２の間と、内側リング５０と中間リング５４の間に、ほぼ一列ずつ剛球４０を配置することとしたが、これも一例であり、複数列の剛球がリング間に収まるようにしてもよい。例えば、図６(A)に示す例では、中間リング５４をなくして、外側リング５０と内側リング５２の間に、２列半程度の剛球４０を配置した例である。むろん、中間リング５４を設けた場合に、外側リング５０と中間リング５４の間や、内側リング５２と中間リング５４の間に、１列以上の剛球を配置するようにしてもよい。また、図６(A)及び(B)に示すリング及び基礎側基板を、実施例２及び３に適用するようにしてもよい。
(4)前記実施例で示した材質も一例であり、同様の効果を奏する範囲内で、公知の各種の材料を用いてよい。
【００３４】
(5)本発明の免震具は、例えば、アンカーボルトや柱の位置に合わせて設置するのが好ましいが、実施例２で示すように、それ以外の場所に設けることを妨げるものではない。むろん、アンカーボルト８０の位置に設置したうえ、更にそれ以外の場所に設けることを妨げるものではない。
(6)本発明の免震具は、図６(C)に示すように、基礎側基板２０自体を、方形状の底面１５２とその各辺に設けられた側面１５４Ａ〜１５４Ｄからなる枠体１５０に収容してもよい。本発明の免震具を設置する部分は、直線状の部材の上であることが多いため、免震具自体を方形状の枠におさめることで、位置決めが容易となる。
(7)本発明の免震具は、木造住宅などへの使用が好適であるが、他の公知の各種の建造物の免震のために用いることを妨げるものではない。
【産業上の利用可能性】
【００３５】
本発明によれば、建造物の基礎側に配置され、中央部に前記基礎に固定するための固定具が貫通する開口部を有し、外周に、建造物の土台側へ向けて伸びた外枠を有する基礎側基板と、前記土台側に配置され、中央部に、前記固定具よりも大きい開口部を有し、該開口部の縁に、前記基礎側へ向けて伸びた内枠を有する土台側基板と、前記両基板の間に挟まれて転動可能な多数の剛球と、前記両基板の間に配置され、前記多数の剛球が内側に収容されるとともに、前記各基板の面に対し水平方向に弾性変形可能な環状の外側リングと、前記両基板の間に配置され、前記外側リングとの間に前記多数の剛球を挟むとともに、前記各基板の面に対し水平方向に弾性変形可能であって、前記内枠よりも径が大きい環状の内側リングと、を備えることとした。このため、設置が容易で、かつ、簡単な構成で地震などの振動を抑制ないし軽減することができるため、建造物の基礎と土台の間に配置される免震具の用途に適用できる。
【符号の説明】
【００３６】
１０，１０Ａ：免震具
２０：基礎側基板
２２：開口部
２４：外枠（ストッパ）
３０：土台側基板
３２：開口部
３４：内枠（ストッパ）
４０：剛球
５０：外側リング
５２：内側リング
５４：中間リング
５６：スパイラルリング
６０，６０Ａ：基礎
７０，７０Ａ：土台
７２：貫通孔
７２Ａ，７２Ｂ：拡径部
８０：アンカーボルト
８２：金物付きゴムワッシャー
８２Ａ，８２Ｂ，８２Ｃ：ワッシャー
８３Ａ，８３Ｂ，８３Ｃ：開口部
８４：平ワッシャー
８５：ゴムパッキン
８６：スプリングワッシャー
８８，８９：ダブルナット
９０，９２：隙間
１００：固定具
１０２：アンカー部
１０４：頭部
１０６：キャップ
１２０：固定具
１２２：アンカー
１２４：カールプラグ
１５０：枠体
１５２：底面
１５４Ａ〜１５４Ｄ：側面
【図１】
2018084129.tif 000003
【図２】
2018084129.tif 000004
【図３】
2018084129.tif 000005
【図４】
2018084129.tif 000006
【図５】
2018084129.tif 000007
【図６】
2018084129.tif 000008